(57)【特許請求の範囲】
【請求項１】
被写体を撮像して画像信号を出力する撮像手段と、
前記被写体に取り付けられた発信器から発信される無線信号を検出し、その無線信号の発信位置に関する情報を求める検出手段と、
前記検出手段で求めた前記発信位置に関する情報を表示する表示手段とを備え、
前記検出手段にて前記無線信号を検出可能な範囲である検出角は、前記撮像手段の撮像画角よりも広く設定されており、かつ、前記被写体が前記撮像画角に入っている場合には前記表示手段に前記被写体とともに位置表示を行い、前記撮像画角に入っていない場合には前記表示手段に前記被写体の存在する方向を示す表示を行うようにしたことを特徴とする撮像装置。
【請求項２】
前記検出手段は前記被写体が前記撮像画角に入っていない場合に、前記被写体を前記撮像手段の前記撮像画角の範囲内におさめるための角度情報を求め、この角度情報を前記表示手段で表示するようにしたことを特徴とする請求項１記載の撮像装置。
【発明の詳細な説明】
【０００１】
【発明の属する技術分野】
本発明はビデオカメラ等の撮像装置に関する。
【０００２】
【従来の技術】
図１３はカメラ・ＶＴＲ一体型の従来のビデオカメラの構成を示すブロック図である。
図において、１は撮像部、２は撮像部１からのアナログ信号をデジタル信号に変換するＡ／Ｄ変換回路、３は上記デジタル信号を処理するカメラ信号処理回路、４は上記処理されたデジタル信号をアナログ信号に戻すＤ／Ａ変換回路、５はカメラ信号処理回路３からのデジタル信号を取り込み様々な特殊効果に加工するデジタル特殊効果回路、６はカメラ信号処理回路３とデジタル特殊効果回路５とを制御するマイクロコンピュータ（以下マイコンと略す）である。
【０００３】
７は撮像部１の操作キーで、マイコン７がその情報を読み取る。８もマイコンであり、主にＶＴＲ全体のシステムコントロールを行う。また、マイコン８とマイコン６とは通信を行っている。９はＶＴＲ部の操作キーで、マイコン８がその情報を読み取る。１０はファインダ部で撮像部１で撮像した画像を不図示の観察者が観察する。１１はＶＴＲ機構部、１２はＶＴＲ機構部１１を制御するマイコンで、マイコン８と通信を行っている。１３はレコーダ信号処理回路で、Ｄ／Ａ変換回路４からのアナログ信号を処理する。１４は上記処理されたアナログ信号を電磁変換する磁気ヘッドを含む電磁変換器、１５は電磁変換された信号を記録する磁気テーブ等の記録媒体で、ＶＴＲ機構部１１により駆動される。１６は撮像部１とＶＴＲの操作部である。
【０００４】
【発明が解決しようとする課題】
上述のような、従来の撮像装置においては、例えば運動会のように同じような服装で大勢の人がいるなかで自分の子供を撮りたい、といった特定の被写体を狙うことは実際にはむつかしく、これは撮像装置自体の機能よりも、撮影者の熟練に負うところが多かった。
【０００５】
本発明は上記の実情に鑑み成されたもので、特定の被写体を撮像装置自身が認識し、その特定の被写体の位置を表示することのできる撮像装置を得ることを目的としている。
【０００６】
【課題を解決するための手段】
本発明の撮像装置は、被写体を撮像して画像信号を出力する撮像手段と、前記被写体に取り付けられた発信器から発信される無線信号を検出し、その無線信号の発信位置に関する情報を求める検出手段と、前記検出手段で求めた前記発信位置に関する情報を表示する表示手段とを備え、前記検出手段にて前記無線信号を検出可能な範囲である検出角は、前記撮像手段の撮像画角よりも広く設定されており、かつ、前記被写体が前記撮像画角に入っている場合には前記表示手段に前記被写体とともに位置表示を行い、前記撮像画角に入っていない場合には前記表示手段に前記被写体の存在する方向を示す表示を行うようにしたことを特徴とする。
【０００７】
【作用】
本発明によれば、被写体が撮像手段の撮像画角に入っている場合には表示手段により前記被写体とともに位置表示が行われ、撮像画角に入っていない場合には表示手段により前記被写体の存在する方向を示す表示が行われるので、撮影者は表示を見て特定の被写体のある方向等を容易に知ることができる。
【０００８】
【発明の実施の形態】
図１は本発明による撮像装置の概略システム図で、１００は特定の被写体で、不図示の撮影者が意図して狙いたい被写体である。１０１はビデオカメラ本体、１０２は赤外発信器で、特定の被写体１００に取り付けられている。ビデオカメラ本体１０１には、撮像部１と赤外発信器１０２からの赤外光を受光するセンサ部１０３とファインダ部１０とが設けられている。センサ部１０３は赤外発信器１０２の位置を検出し、その位置はファインダ部１０に表示されるように成されている。
【０００９】
図２は上記システムを用いた本発明の第１の実施例による撮像装置の構成を示すブロック図である。
図において、１０２は上記赤外発信器で、赤外発光ダイオード等の赤外発光素子１０５と、これを発光させる駆動回路１０４とを有する。１０６はセンサユニットで、上記センサ部１０３を有する。センサユニット１０６において、赤外発信器１０２からの赤外光は、センサ部１０３により検出され、その検出したアナログ信号をＡ／Ｄ変換回路１０７でデジタル信号に変換する。このデジタル信号はセンサ信号処理回路１０８で処理された後、追尾回路１０９に送られる。追尾回路１０９は赤外発信器１０２の位置を判別し、表示回路１１０及び加算器１１１を介してファインダ部１０へ赤外発信器１０２の位置、すなわち被写体１００の位置を表示する。
また、追尾回路１０９には、撮像部１よりレンズの焦点距離情報が送られている。
尚、図１の他の部分は図１３と同一構成されている。
【００１０】
図３（ａ）はファインダ部１０とセンサ部１０３の検出領域との関係を示す図である。１０ａはファインダ１０の表示領域で、撮像部１により撮影した映像が表示され、これを観察者が観察可能なものである。１０３ａはセンサ部１０３が検出可能な検出領域を示し、この検出領域１０３ａは撮像部１による撮像領域、すなわち上記表示領域１０ａより広い範囲とする。ここで特定の被写体１００は赤外発信器１０２を取り付けている。この時、特定の被写体１００は撮像部１の撮像領域の外にいるので、観察者はファインダ部１０の表示領域１０ａでは特定の被写体１００を確認することはできない。しかしこの時センサ部１０３の検出領域１０３ａで被写体１００を捉えているので、表示領域１０ａに、特定の被写体１００への方向を示すマーク１１２を表示することにより、特定の被写体１００の位置方向を観察者に知らせるようにしている。
本発明においては、センサ部１０３の検出領域１０３ａを、撮像部１の撮像領域より広い範囲としているため、観察者はファインダ部１０から目を離すこと無く、撮像領域外の特定の被写体１００の位置方向を知ることが可能となり、非常に操作性の良いものとなる。
【００１１】
図３（ｂ）は、図３（ａ）のマーク１１２で示された方向に、撮像装置をパンニングして特定の被写体１００を撮像部１の撮像領域内に捉えた場合を示す。この時、被写体方向表示はマーク１１３で示すように変わり、特定の被写体１００の位置を示す。
【００１２】
以上説明したように、本実施例によれば、特定の被写体を撮像装置自身が認識し、その特定の被写体１００の位置をマーク１１２、１１３等で表示するようにしたので、従来の撮像装置において、運動会等のように同じような服装の人が大勢いるなかで、自分の子供のような特定の被写体を狙うことがむづかしかったのに対して、撮影者の熟練を必要とせず、簡単に特定の被写体を狙うことができ、非常に操作性の良い撮像装置を提供することができる。
【００１３】
図４は本発明の第１の実施例の動作を示すフローチャートである。まず、ステップＳ１で電源が投入される。次にステップＳ２に進んでセンサ部１０３で赤外発信器１０２の赤外光を検出する。赤外光が検出されなければステップＳ３に進み、このとき追尾回路１０９からの制御信号により表示回路１１０はファインダ部１０には表示を行わない。赤外光が検出されたならステップＳ４に進み、ここで追尾回路１０９により被写体が撮像部１の撮影領域（表示領域１０ａ）に入っていると判断されたならば、ステップＳ６に進み、追尾回路１０９からの制御信号により表示回路１１０はファインダ１０の画面に被写体の位置表示をマーク１１３により行う。被写体が撮像部１の撮影領域に入っていないならば、ステップＳ５に進み、追尾回路１１０からの制御信号により表示回路１１０５はファインダ部１０の画面にマーク１１２による「方向表示」を行う。
【００１４】
図５は撮像部１の構成図である。１１４はレンズ部で、不図示の被写体を結像する。１１５はＣＣＤ等の撮像素子で、レンズ部１１４から入射した光信号を電気信号に変換（光電変換）する。レンズ部１１４において、１１６は防振光学素子、１１７は防振光学素子１１６の位置を検出するセンサ、１１８は、防振光学素子１１６を動かすアクチュエータである。１１９は焦点距離を変える変倍レンズ、１２０はセンサで、変倍レンズ１１９の位置を検出する。１２１はアクチュエータで、変倍レンズ１１９を動かす。１２２は露出を制御するアイリス、１２３はアイリス１２２の位置を検出するセンサ、１２４はアクチュエータで、アイリス１２２を動かす。１２５はピントを合わせるフォーカスレンズ、１２６はセンサで、フォーカスレンズ１２５の位置を検出する。１２７はアクチュエータで、フォーカスレンズ１２５を動かす。各センサ１１７、１２０、１２３、１２６よりレンズ情報が出力される。
【００１５】
図６はセンサ部１０３の構成図である。１２８はレンズ部で、上記赤外発信器１０２より発光される赤外光を結像する。１２９は赤外光検出素子で、レンズ部１２８から入射した赤外光信号を電気信号に変換（光電変換）する。この赤外光検出素子１２９には、赤外領域に感度のあるエリア型の撮像素子であるＣＣＤやＢＡＳＩＳ等が適している。
【００１６】
図７は撮像部１のレンズ部１１４とセンサ部１０３のレンズ１２８のそれぞれの画角を示す図である。３０１は撮像部１のレンズ部１１４の広角側の撮像画角、３０２は撮像部１のレンズ部１１４の望遠側の撮像画角であり、図５に示す変倍レンズ１１９により広角側の画角３０１から、望遠側の画角３０２まで可変である。３０３はセンサ部１０３のレンズ１２８の検出画角である。このように、センサ部１０３の検出画角は、撮像部１の撮像画角３０１、３０２より大きく設定されている。
【００１７】
従って、図７のように、赤外発信器１０２を付けている特定の被写体１００が、撮像部１の画角３０１、３０２から外れている場合、不図示の撮像装置の撮影者はファインダ部１０で特定の被写体１００が見えなかったとしても、センサ部１０３により赤外発信器１０２の赤外光を捉えているので、どの方向に特定の被写体１００が位置しているのかを、ファインダ部１０で表示されるマーク１１２による方向表示により確認することができる。
【００１８】
図８、図９はセンサ部１０３のレンズ１２８に関する説明図である。
図８は格子状のチャートとしての被写体を示す。図９（ａ）は図８の格子状のチャートを、センサ部１０３のレンズ１２８にディストーションが少い通常のカメラの撮影レンズと同じものを用いてセンサ部１０３で撮像した場合の画像を示す。この場合は、赤外光による位置検出のみならずセンサ部１０３を用いた赤外撮像カメラとしての使用も可能となる。また図９（ｂ）は格子状のチャートを、センサ部１０３のレンズに魚眼レンズを用いて撮像した場合の画像を示す。この場合は１８０度の画角があるので、非常に広い範囲での赤外光の検出が可能となる。
【００１９】
図１０は本発明の第２の実施例による撮像装置の構成を示すブロック図である。
本実施例は、センサユニット１０６にパン角度表示回路１３０を設け、その出力信号を加算器１１１に加えるように構成すると共に、これに応じて追尾回路１０９での処理を行うようにしたものである。他の部分の構成及び動作は図１と実質的に同じである。尚、センサ部１０３には、第１の実施例と同様に赤外領域に感度のあるエリア型の撮像素子であるＣＣＤやＢＡＳＩＳ等が適す。
【００２０】
上記構成において、追尾回路１０９は、センサ部１０３で検出された赤外光の位置情報と撮像部１からのレンズの焦点距離情報とからパンニング角度を算出し、その算出された角度に基づいてパン角度表示回路１３０は加算器１１１を介してファインダ部１０にパンニング角度の表示を行う。
【００２１】
図１１は本発明の第２の実施例の説明図で、（ａ）は撮像部１のレンズ部１１４と、センサ部１０３のレンズ１２８のそれぞれの画角を示す図である。３０１は撮像部１のレンズ部１１４の広角側の画角、３０２は撮像部１のレンズ部１１４の望遠側の画角であり、図５に示す変倍レンズ１１９により広角側の画角３０１から、望遠側の画角３０２まで可変である。３０３はセンサ部１０３のレンズ１２８の画角である。ここで特定の被写体１００は赤外発信器１０２を付けている。
【００２２】
（ｂ）は撮像部１の広角側におけるファインダ部１０の表示例を示すもので、３１０はファインダ部１０の表示部領域で、（ａ）で示す撮像部１の広角側の画角３０１で撮像した映像を表示している。この時、赤外発信器１０２を付けている特定の被写体１００は、撮像部１で撮像できる画角の範囲外、１０゜の所にいるので、ファインダ部１００に被写体方向表示マーク３１２ａを表示して、特定の被写体１００のいる方向を示す。この時被写体位置を示す文字３１１ａで「ＰＡＮ１０゜」と表示することにより、被写体のいる方向に１０゜カメラをパンニングすれば、特定の被写体１００を撮影画面内におさめることができることが判る。
【００２３】
（ｃ）は撮像部１の望遠側におけるファインダ部１０の表示例で、ファインダ部１０の表示領域３０１には、（ａ）で示す望遠側の画角３０２で撮像した映像を表示している。この時、赤外発信器１０２を付けている特定の被写体１００は、撮像部１で撮像できる画角の範囲外、３０゜の所にいるので、ファインダ部１０に被写体方向表示マーク３１２ｂを表示して、特定の被写体１００のいる方向を示す。この時被写体位置を示す文字３１１ｂで「ＰＡＮ３０゜」と表示することにより、被写体１００のいる方向に３０゜カメラをパンニングすれば、特定の被写体１００を撮影画面内におさめることができることが判る。
【００２４】
本実施例によれば、撮像画角に応じて特定の被写体の位置及びパンニング角度を表示することにより、撮影者は特定の被写体を撮影するのに、撮像装置をどの方向にどれだけ動かせば良いのかを事前に知ることができ、非常に操作性の良い撮像装置を提供することができる。
【００２５】
図１２は本発明の第２の実施例の動作を示すフローチャートである。まず、ステップＳ１１で電源が投入される。次にステップＳ１２に進んでセンサ部１０３で赤外光発信器１０２の赤外光を検出する。赤外光が検出されなければ、ステップＳ１３に進み追尾回路１０９からの制御信号により表示回路１１０はファインダ部１０には表示を行わない。赤外光が検出されたならステップＳ１４に進み、ここで追尾回路１０９により被写体が撮像部１の撮影領域に入っていると判断されたならば、ステップＳ１５に進み、追尾回路１０９からの制御信号により表示回路１１０はファインダ画面に「位置表示」を行う。
【００２６】
被写体が撮像部１の撮影領域に入っていないならば、ステップＳ１６に進み、追尾回路１０９からの制御信号により表示回路１１０はファインダ画面に「方向表示」を行う。同時にステップＳ１７に進む。一方、ステップＳ１１で電源投入がされた後、ステップＳ１８に進み、変倍レンズ１１９の位置を検出するセンサ１２０で撮像レンズの焦点距離を検出する。続いてステップＳ１７に進み、センサ部１０３で検出された赤外光の位置情報と撮像部１からのレンズの焦点距離情報とからパンニング角度を算出する。次にステップＳ１９に進み追尾回路１０９からの制御信号により、パン角度表示回路１３０はファインダ部１０にパンニング角度の表示を行う。
【００２７】
尚、各実施例においては、被写体に赤外発信器１０２を設けているが、赤外光の他に、電波、超音波、レーザ光等の無線による信号を発信できるような発信手段を用い、それに応じたセンサ部を用いてもよい。
【００２８】
【発明の効果】
以上説明したように本発明によれば、特定の被写体を撮像装置自身が認識し、その特定の被写体の位置、特定の被写体が撮像領域内に有るか無いかを表示することができるようになり、このため撮影者は特定の被写体位置を明確に知ることができ、特定の被写体の撮影を撮影者の熟練を必要とせずに容易に行うことができ、非常に操作性の良い撮像装置を提供することができる。また、検出手段の検出領域を撮像領域より広くしたので、撮影者はファインダから目を離すことなく、撮像領域外の特定の被写体の位置方向を知ることができる。
【図面の簡単な説明】
【図１】本発明の実施例による撮像装置のシステムを示す構成図である。
【図２】本発明の第１の実施例を示すブロック図である。
【図３】第１の実施例によるファインダ部の表示例と検出領域とを示す構成図である。
【図４】第１の実施例の動作を示すフローチャートである。
【図５】撮像部の構成図である。
【図６】センサ部の構成図である。
【図７】検出画角と撮像画角とを示す構成図である。
【図８】格子状のチャートとしての被写体を示す構成図である。
【図９】格子状のチャートを異るレンズで撮像した場合の画像を示す構成図である。
【図１０】本発明の第２の実施例を示すブロック図である。
【図１１】検出画角と撮像画角及びファインダ部の表示例を示す構成図である。
【図１２】第２の実施例の動作を示すフローチャートである。
【図１３】従来の撮像装置を示すブロック図である。
【符号の説明】
１  撮像部
１０  ファインダ部
１０２  赤外発信器
１０３  センサ部
１０６  センサユニット
１０９  追尾回路
１１０  表示回路
１３０  パン角度表示回路
３０１、３０２  撮像画角
３０３  検出画角
【図１】
0003673564.tif 000002
【図２】
0003673564.tif 000003
【図３】
0003673564.tif 000004
【図４】
0003673564.tif 000005
【図５】
0003673564.tif 000006
【図６】
0003673564.tif 000007
【図７】
0003673564.tif 000008
【図８】
0003673564.tif 000009
【図９】
0003673564.tif 000010
【図１０】
0003673564.tif 000011
【図１１】
0003673564.tif 000012
【図１２】
0003673564.tif 000013
【図１３】
0003673564.tif 000014